【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
チャネルの周波数ロケーションと、アンテナポートの数と、第１のセルの基地局との狭帯域通信のための展開モードとを決定することと、ここにおいて、前記チャネルの前記周波数ロケーションを決定することが、
マスタ情報ブロック（ＭＩＢ）を受信することと、
前記ＭＩＢ中のフィールドに基づいて、第２のセルの中心周波数に対する物理リソースブロック（ＰＲＢ）位置を決定することと、
前記ＰＲＢ位置に少なくとも部分的に基づいて、前記チャネルの前記周波数ロケーションを決定することと
を備える、
前記チャネルの前記周波数ロケーションと、アンテナポートの前記数と、前記展開モードとに少なくとも部分的に基づいて、前記基地局と通信することと
を備える、方法。
【請求項２】
前記チャネルが、より広いシステム帯域幅の狭帯域領域中にあり、前記方法は、前記第１のセルのためのセル識別子（ＩＤ）が、前記より広いシステム帯域幅を使用する前記第２のセルのためのセルＩＤと同じであると決定することをさらに備える、請求項１に記載の方法。
【請求項３】
前記第１のセルが無認可スペクトル中にあるという指示を受信することをさらに備える、請求項１に記載の方法。
【請求項４】
前記第１のセルが無認可スペクトル中にあるという前記指示が、前記ＭＩＢまたは物理ブロードキャストチャネル（ＰＢＣＨ）のうちの少なくとも１つにおいて受信される、請求項３に記載の方法。
【請求項５】
ワイヤレス通信のための装置であって、
マスタ情報ブロック（ＭＩＢ）を受信するように構成された受信機と、
チャネルの周波数ロケーションと、アンテナポートの数と、第１のセルの基地局との狭帯域通信のための展開モードとを決定することと、ここにおいて、前記チャネルの前記周波数ロケーションを決定することが、
前記ＭＩＢ中のフィールドに基づいて、第２のセルの中心周波数に対する物理リソースブロック（ＰＲＢ）位置を決定することと、
前記ＰＲＢ位置に少なくとも部分的に基づいて、前記チャネルの前記周波数ロケーションを決定することと
を備える、
前記チャネルの前記周波数ロケーションと、アンテナポートの前記数と、前記展開モードとに少なくとも部分的に基づいて、前記基地局と通信することと
を行うように構成された少なくとも１つのプロセッサと、
前記少なくとも１つのプロセッサに結合されたメモリと
を備える、装置。
【請求項６】
ワイヤレス通信のための装置であって、
チャネルの周波数ロケーションと、アンテナポートの数と、第１のセルの基地局との狭帯域通信のための展開モードとを決定するための手段と、ここにおいて、前記チャネルの前記周波数ロケーションを前記決定するための手段が、
マスタ情報ブロック（ＭＩＢ）を受信するための手段と、
前記ＭＩＢ中のフィールドに基づいて、第２のセルの中心周波数に対する物理リソースブロック（ＰＲＢ）位置を決定するための手段と、
前記ＰＲＢ位置に少なくとも部分的に基づいて、前記チャネルの前記周波数ロケーションを決定するための手段と
を備える、
前記チャネルの前記周波数ロケーションと、アンテナポートの前記数と、前記展開モードとに少なくとも部分的に基づいて、前記基地局と通信するための手段と
を備える、装置。
【請求項７】
ユーザ機器（ＵＥ）によるワイヤレス通信のためのコンピュータ可読媒体であって、前記コンピュータ可読媒体が、
チャネルの周波数ロケーションと、アンテナポートの数と、第１のセルの基地局との狭帯域通信のための展開モードとを決定するためのコードと、ここにおいて、前記チャネルの前記周波数ロケーションを決定することが、
前記ＵＥによって受信されるマスタ情報ブロック（ＭＩＢ）中のフィールドに基づいて、第２のセルの中心周波数に対する物理リソースブロック（ＰＲＢ）位置を決定することと、
前記ＰＲＢ位置に少なくとも部分的に基づいて、前記チャネルの前記周波数ロケーションを決定することと
を備える、
前記チャネルの前記周波数ロケーションと、アンテナポートの前記数と、前記展開モードとに少なくとも部分的に基づいて、前記基地局と通信するためのコードと
を備える、コンピュータ実行可能コードを記憶した、コンピュータ可読媒体。
【請求項８】
第１のセルの基地局（ＢＳ）によるワイヤレス通信のための方法であって、
チャネルの周波数ロケーションと、アンテナポートの数と、前記ＢＳとの狭帯域通信のための展開モードとを示す情報を、ユーザ機器（ＵＥ）に送信することと、ここにおいて、
前記情報が、マスタ情報ブロック（ＭＩＢ）において与えられ、
前記チャネルの前記周波数ロケーションが、第２のセルの中心周波数に対する物理リソースブロック（ＰＲＢ）位置を示す前記ＭＩＢ中のフィールドに少なくとも部分的に基づいて決定される、
前記チャネルの前記周波数ロケーションと、アンテナポートの前記数と、前記展開モードとに少なくとも部分的に基づいて、前記ＵＥと通信することと
を備える、方法。
【請求項９】
前記チャネルが、より広いシステム帯域幅の狭帯域領域中にあり、
前記情報は、前記第１のセルのためのセル識別子（ＩＤ）が、前記より広いシステム帯域幅を使用する前記第２のセルのためのセルＩＤと同じであるかどうかを示す、
請求項８に記載の方法。
【請求項１０】
前記第１のセルが無認可スペクトル中にあるという指示を与えることをさらに備える、請求項８に記載の方法。
【請求項１１】
前記指示が、前記ＭＩＢまたは物理ブロードキャストチャネル（ＰＢＣＨ）のうちの少なくとも１つにおいて与えられる、請求項１０に記載の方法。
【請求項１２】
ワイヤレス通信のための第１のセルの装置であって、
チャネルの周波数ロケーションと、アンテナポートの数と、前記装置との狭帯域通信のための展開モードとを示す情報を、少なくとも１つのアンテナを介して、ユーザ機器（ＵＥ）に送信することと、ここにおいて、
前記情報が、マスタ情報ブロック（ＭＩＢ）において与えられ、
前記チャネルの前記周波数ロケーションが、第２のセルの中心周波数に対する物理リソースブロック（ＰＲＢ）位置を示す前記ＭＩＢ中のフィールドに少なくとも部分的に基づいて決定される、
前記チャネルの前記周波数ロケーションと、アンテナポートの前記数と、前記展開モードとに少なくとも部分的に基づいて、前記ＵＥと通信することと
を行うように構成された少なくとも１つのプロセッサと、
前記少なくとも１つのプロセッサに結合されたメモリと
を備える、装置。
【請求項１３】
ワイヤレス通信のための第１のセルの装置であって、
チャネルの周波数ロケーションと、アンテナポートの数と、前記装置との狭帯域通信のための展開モードとを示す情報を、ユーザ機器（ＵＥ）に送信するための手段と、ここにおいて、
前記情報が、マスタ情報ブロック（ＭＩＢ）において与えられ、
前記チャネルの前記周波数ロケーションが、第２のセルの中心周波数に対する物理リソースブロック（ＰＲＢ）位置を示す前記ＭＩＢ中のフィールドに少なくとも部分的に基づいて決定される、
前記チャネルの前記周波数ロケーションと、アンテナポートの前記数と、前記展開モードとに少なくとも部分的に基づいて、前記ＵＥと通信するための手段と
を備える、装置。
【請求項１４】
第１のセルの基地局（ＢＳ）によるワイヤレス通信のためのコンピュータ可読媒体であって、前記コンピュータ可読媒体が、
チャネルの周波数ロケーションと、アンテナポートの数と、前記ＢＳとの狭帯域通信のための展開モードとを示す情報を、ユーザ機器（ＵＥ）に送信するためのコードと、ここにおいて、
前記情報が、マスタ情報ブロック（ＭＩＢ）において与えられ、
前記チャネルの前記周波数ロケーションが、第２のセルの中心周波数に対する物理リソースブロック（ＰＲＢ）位置を示す前記ＭＩＢ中のフィールドに少なくとも部分的に基づいて決定される、
前記チャネルの前記周波数ロケーションと、アンテナポートの前記数と、前記展開モードとに少なくとも部分的に基づいて、前記ＵＥと通信するためのコードと
を備える、コンピュータ実行可能コードを記憶した、コンピュータ可読媒体。
【請求項１５】
前記チャネルが、より広いシステム帯域幅の狭帯域領域中にあり、
前記情報は、前記第１のセルのためのセル識別子（ＩＤ）が、前記より広いシステム帯域幅を使用する前記第２のセルのためのセルＩＤと同じであるかどうかを示す、
請求項１４に記載のコンピュータ可読媒体。
【請求項１６】
前記第１のセルが無認可スペクトル中にあるという指示を与えるためのコードをさらに備える、請求項１４に記載のコンピュータ可読媒体。
【請求項１７】
前記第１のセルが無認可スペクトル中にあるという前記指示が、前記ＭＩＢまたは物理ブロードキャストチャネル（ＰＢＣＨ）のうちの少なくとも１つにおいて与えられる、請求項１６に記載のコンピュータ可読媒体。
【請求項１８】
前記チャネルが、より広いシステム帯域幅の狭帯域領域中にあり、
前記少なくとも１つのプロセッサは、前記第１のセルのためのセル識別子（ＩＤ）が、前記より広いシステム帯域幅を使用する前記第２のセルのためのセルＩＤと同じであると決定するようにさらに構成される、
請求項５に記載の装置。
【請求項１９】
前記受信機は、前記第１のセルが無認可スペクトル中にあるという指示を受信するようにさらに構成される、請求項５に記載の装置。
【請求項２０】
前記第１のセルが無認可スペクトル中にあるという前記指示が、前記ＭＩＢまたは物理ブロードキャストチャネル（ＰＢＣＨ）のうちの少なくとも１つにおいて受信される、請求項１９に記載の装置。
【請求項２１】
前記チャネルが、より広いシステム帯域幅の狭帯域領域中にあり、前記装置は、前記第１のセルのためのセル識別子（ＩＤ）が、前記より広いシステム帯域幅を使用する前記第２のセルのためのセルＩＤと同じであると決定するための手段をさらに備える、請求項６に記載の装置。
【請求項２２】
前記第１のセルが無認可スペクトル中にあるという指示を受信するための手段をさらに備える、請求項６に記載の装置。
【請求項２３】
前記第１のセルが無認可スペクトル中にあるという前記指示が、前記ＭＩＢまたは物理ブロードキャストチャネル（ＰＢＣＨ）のうちの少なくとも１つにおいて受信される、請求項２２に記載の装置。
【請求項２４】
前記チャネルが、より広いシステム帯域幅の狭帯域領域中にあり、前記コンピュータ可読媒体は、前記第１のセルのためのセル識別子（ＩＤ）が、前記より広いシステム帯域幅を使用する前記第２のセルのためのセルＩＤと同じであると決定するためのコードをさらに備える、請求項７に記載のコンピュータ可読媒体。
【請求項２５】
前記第１のセルが無認可スペクトル中にあるという指示を受信するためのコードをさらに備える、請求項７に記載のコンピュータ可読媒体。
【請求項２６】
前記第１のセルが無認可スペクトル中にあるという前記指示が、前記ＭＩＢまたは物理ブロードキャストチャネル（ＰＢＣＨ）のうちの少なくとも１つにおいて受信される、請求項２５に記載のコンピュータ可読媒体。
【請求項２７】
前記チャネルが、より広いシステム帯域幅の狭帯域領域中にあり、
前記情報は、前記第１のセルのためのセル識別子（ＩＤ）が、前記より広いシステム帯域幅を使用する前記第２のセルのためのセルＩＤと同じであるかどうかを示す、
請求項１２に記載の装置。
【請求項２８】
前記少なくとも１つのプロセッサは、前記第１のセルが無認可スペクトル中にあるという指示を与えるようにさらに構成される、請求項１２に記載の装置。
【請求項２９】
前記第１のセルが無認可スペクトル中にあるという前記指示が、前記ＭＩＢまたは物理ブロードキャストチャネル（ＰＢＣＨ）のうちの少なくとも１つにおいて与えられる、請求項２８に記載の装置。
【請求項３０】
前記チャネルが、より広いシステム帯域幅の狭帯域領域中にあり、
前記情報は、前記第１のセルのためのセル識別子（ＩＤ）が、前記より広いシステム帯域幅を使用する前記第２のセルのためのセルＩＤと同じであるかどうかを示す、
請求項１３に記載の装置。
【請求項３１】
前記第１のセルが無認可スペクトル中にあるという指示を送信するための手段をさらに備える、請求項１３に記載の装置。
【請求項３２】
前記第１のセルが無認可スペクトル中にあるという前記指示が、前記ＭＩＢまたは物理ブロードキャストチャネル（ＰＢＣＨ）のうちの少なくとも１つにおいて与えられる、請求項３１に記載の装置。
【手続補正２】
【補正対象書類名】明細書
【補正対象項目名】０１２８
【補正方法】変更
【補正の内容】
【０１２８】
[0136]本開示についての以上の説明は、いかなる当業者も本開示を作成または使用することができるように与えられる。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
［Ｃ１］
基地局（ＢＳ）によるワイヤレス通信のための方法であって、
１つまたは複数の条件に基づいて、ユーザ機器（ＵＥ）との狭帯域通信を実行するために、１つまたは複数のチャネルのうちの１つのチャネルの厳密な周波数ロケーションを決定することと、
前記１つまたは複数の条件の指示を前記ＵＥに送信することと、
前記１つのチャネルの前記厳密な周波数ロケーションに少なくとも部分的に基づいて、前記ＵＥと通信することと
を備える、方法。
［Ｃ２］
前記１つまたは複数の条件は、前記厳密な周波数ロケーションが、拡張マシンタイプ通信（ｅＭＴＣ）のためのシステム情報ブロック（ＳＩＢ）を送信するために利用可能な狭帯域と一致するかどうかを備える、Ｃ１に記載の方法。
［Ｃ３］
ｅＭＴＣのためのＳＩＢを送信するために利用可能な狭帯域のセットが、所与の動作帯域幅のためのアンカーチャネルロケーションとして利用可能な１つまたは複数の狭帯域だけ低減される、Ｃ２に記載の方法。
［Ｃ４］
前記１つまたは複数の条件が前記ＵＥの動作帯域幅を備え、
前記厳密な周波数ロケーションを決定することが、前記所与の動作帯域幅のためのアンカーチャネルロケーションを選択することを備える、
Ｃ１に記載の方法。
［Ｃ５］
前記１つまたは複数のチャネルの数がセル識別子（ＩＤ）に基づく、Ｃ１に記載の方法。
［Ｃ６］
前記厳密な周波数ロケーションの指示を前記ＵＥにシグナリングすること
をさらに備える、Ｃ１に記載の方法。
［Ｃ７］
前記指示が、周波数グリッドに関する周波数オフセットを備える、Ｃ６に記載の方法。
［Ｃ８］
前記指示が、マスタ情報ブロック（ＭＩＢ）、１次同期信号（ＰＳＳ）、２次同期信号（ＳＳＳ）、または物理ダウンリンクブロードキャストチャネル（ＰＢＣＨ）のうちの少なくとも１つにおいて与えられる、Ｃ６に記載の方法。
［Ｃ９］
前記１つまたは複数の条件が、前記狭帯域通信のための展開のタイプを伴う、Ｃ１に記載の方法。
［Ｃ１０］
前記１つまたは複数の条件の前記指示を送信することが、展開の前記タイプを示すために、セル固有基準信号（ＣＲＳ）のために使用されるアンテナポートの数をシグナリングすることを備える、Ｃ９に記載の方法。
［Ｃ１１］
マスタ情報ブロック（ＭＩＢ）中の１つまたは複数のビットを生成すること、ここにおいて、前記１つまたは複数のビットが、動作帯域幅、または周波数グリッドに関する周波数オフセットを示す、
をさらに備え、
ここにおいて、前記１つまたは複数の条件が、前記ＭＩＢ中の前記１つまたは複数のビットを備える、
Ｃ９に記載の方法。
［Ｃ１２］
前記１つまたは複数のチャネルの周波数ロケーションが、ラスタ周波数ロケーションに対応し、ここにおいて、前記ラスタ周波数ロケーションが不均一に分散される、Ｃ１に記載の方法。
［Ｃ１３］
ワイヤレス通信のための装置であって、
１つまたは複数の条件に基づいて、ユーザ機器（ＵＥ）との狭帯域通信を実行するために、１つまたは複数のチャネルのうちの１つのチャネルの厳密な周波数ロケーションを決定することと、
前記１つまたは複数の条件の指示を前記ＵＥに送信することと、
前記１つのチャネルの前記厳密な周波数ロケーションに少なくとも部分的に基づいて、前記ＵＥと通信することと
を行うように構成された少なくとも１つのプロセッサと、
前記少なくとも１つのプロセッサに結合されたメモリと
を備える、装置。
［Ｃ１４］
ワイヤレス通信のための装置であって、
１つまたは複数の条件に基づいて、ユーザ機器（ＵＥ）との狭帯域通信を実行するために、１つまたは複数のチャネルのうちの１つのチャネルの厳密な周波数ロケーションを決定するための手段と、
前記１つまたは複数の条件の指示を前記ＵＥに送信するための手段と、
前記１つのチャネルの前記厳密な周波数ロケーションに少なくとも部分的に基づいて、前記ＵＥと通信するための手段と
を備える、装置。
［Ｃ１５］
基地局（ＢＳ）によるワイヤレス通信のためのコンピュータ可読媒体であって、前記コンピュータ可読媒体が、
１つまたは複数の条件に基づいて、ユーザ機器（ＵＥ）との狭帯域通信を実行するために、１つまたは複数のチャネルのうちの１つのチャネルの厳密な周波数ロケーションを決定するためのコードと、
前記１つまたは複数の条件の指示を前記ＵＥに送信するためのコードと、
前記１つのチャネルの前記厳密な周波数ロケーションに少なくとも部分的に基づいて、前記ＵＥと通信するためのコードと
を備える、コンピュータ実行可能コードを記憶した、コンピュータ可読媒体。
［Ｃ１６］
ユーザ機器（ＵＥ）によるワイヤレス通信のための方法であって、
１つまたは複数のチャネルにおいてセル探索を実行することと、
セルが前記１つまたは複数のチャネルのうちの１つのチャネル中に存在すると決定することと、
前記１つのチャネルの周波数ロケーションと、アンテナポートの数と、前記セルの基地局との狭帯域通信のための展開モードとを決定することと、
前記１つのチャネルの前記周波数ロケーションと、アンテナポートの前記数と、前記展開モードとに少なくとも部分的に基づいて、前記基地局と通信することと
を備える、方法。
［Ｃ１７］
前記１つのチャネルの前記周波数ロケーションと、アンテナポートの前記数と、前記展開モードとを決定することが、
マスタ情報ブロック（ＭＩＢ）を受信することと、
前記ＭＩＢ中の第１のフィールドに少なくとも部分的に基づいて、アンテナポートの前記数を決定することと、
前記ＭＩＢ中の前記第１のフィールドと前記ＭＩＢ中の第２のフィールドとに少なくとも部分的に基づいて、前記周波数ロケーションを決定することと、
前記ＭＩＢ中の前記第１のフィールドと前記ＭＩＢ中の前記第２のフィールドとに少なくとも部分的に基づいて、前記展開モードを決定することと
を備える、Ｃ１６に記載の方法。
［Ｃ１８］
前記１つのチャネルの前記周波数ロケーションを前記決定することが、
マスタ情報ブロック（ＭＩＢ）を受信することと、
前記ＭＩＢ中の第２のフィールドに基づいて、広帯域セルの中心周波数に対する物理リソースブロック（ＰＲＢ）位置を決定することと、
前記ＰＲＢ位置に少なくとも部分的に基づいて、前記１つのチャネルの前記周波数ロケーションを決定することと
を備える、Ｃ１６に記載の方法。
［Ｃ１９］
前記１つのチャネルが、より広いシステム帯域幅の狭帯域領域中にあり、
前記方法は、前記セルのためのセル識別子（ＩＤ）が、前記より広いシステム帯域幅を使用する広帯域セルのためのセルＩＤと同じであると決定することをさらに備える、
Ｃ１６に記載の方法。
［Ｃ２０］
前記セルが無認可スペクトル中にあるという指示を受信することをさらに備える、Ｃ１６に記載の方法。
［Ｃ２１］
前記指示が、マスタ情報ブロック（ＭＩＢ）または物理ブロードキャストチャネル（ＰＢＣＨ）のうちの少なくとも１つにおいて受信される、Ｃ２０に記載の方法。
［Ｃ２２］
ワイヤレス通信のための装置であって、
１つまたは複数のチャネルにおいてセル探索を実行することと、
セルが前記１つまたは複数のチャネルのうちの１つのチャネル中に存在すると決定することと、
前記１つのチャネルの周波数ロケーションと、アンテナポートの数と、前記セルの基地局との狭帯域通信のための展開モードとを決定することと、
前記１つのチャネルの前記周波数ロケーションと、アンテナポートの前記数と、前記展開モードとに少なくとも部分的に基づいて、前記基地局と通信することと
を行うように構成された少なくとも１つのプロセッサと、
前記少なくとも１つのプロセッサに結合されたメモリと
を備える、装置。
［Ｃ２３］
ワイヤレス通信のための装置であって、
１つまたは複数のチャネルにおいてセル探索を実行するための手段と、
セルが前記１つまたは複数のチャネルのうちの１つのチャネル中に存在すると決定するための手段と、
前記１つのチャネルの周波数ロケーションと、アンテナポートの数と、前記セルの基地局との狭帯域通信のための展開モードとを決定するための手段と、
前記１つのチャネルの前記周波数ロケーションと、アンテナポートの前記数と、前記展開モードとに少なくとも部分的に基づいて、前記基地局と通信するための手段と
を備える、装置。
［Ｃ２４］
ユーザ機器（ＵＥ）によるワイヤレス通信のためのコンピュータ可読媒体であって、前記コンピュータ可読媒体が、
１つまたは複数のチャネルにおいてセル探索を実行するためのコードと、
セルが前記１つまたは複数のチャネルのうちの１つのチャネル中に存在すると決定するためのコードと、
前記１つのチャネルの周波数ロケーションと、アンテナポートの数と、前記セルの基地局との狭帯域通信のための展開モードとを決定するためのコードと、
前記１つのチャネルの前記周波数ロケーションと、アンテナポートの前記数と、前記展開モードとに少なくとも部分的に基づいて、前記基地局と通信するためのコードと
を備える、コンピュータ実行可能コードを記憶した、コンピュータ可読媒体。
［Ｃ２５］
基地局（ＢＳ）によるワイヤレス通信のための方法であって、
１つまたは複数のチャネルのうちのチャネルの周波数ロケーションと、アンテナポートの数と、前記基地局との狭帯域通信のための展開モードとを示す情報を、ユーザ機器（ＵＥ）に送信することと、
前記チャネルの前記周波数ロケーションと、アンテナポートの前記数と、前記展開モードとに少なくとも部分的に基づいて、前記ＵＥと通信することと
を備える、方法。
［Ｃ２６］
前記情報がマスタ情報ブロック（ＭＩＢ）中で与えられ、
アンテナポートの前記数が、少なくとも、前記ＭＩＢ中の第１のフィールドによって示され、
前記チャネルの前記周波数ロケーションが、少なくとも、前記ＭＩＢ中の前記第１のフィールドと前記ＭＩＢ中の第２のフィールドとによって示され、
前記展開モードが、少なくとも、前記ＭＩＢ中の前記第１のフィールドと前記ＭＩＢ中の前記第２のフィールドとによって示される、
Ｃ２５に記載の方法。
［Ｃ２７］
前記情報がマスタ情報ブロック（ＭＩＢ）中で与えられ、
前記チャネルの前記周波数ロケーションが、広帯域セルの中心周波数に対する物理リソースブロック（ＰＲＢ）位置を示す前記ＭＩＢ中の第２のフィールドによって示される、Ｃ２５に記載の方法。
［Ｃ２８］
前記１つまたは複数のチャネルのうちの前記チャネルが、より広いシステム帯域幅の狭帯域領域中にあり、
前記情報は、前記ＢＳを備えるセルのためのセルＩＤが、前記より広いシステム帯域幅を使用する広帯域セルのためのセルＩＤと同じであるかどうかを示す、
Ｃ２５に記載の方法。
［Ｃ２９］
前記ＢＳを備えるセルが無認可スペクトル中にあるという指示を与えることをさらに備える、Ｃ２５に記載の方法。
［Ｃ３０］
前記指示が、マスタ情報ブロック（ＭＩＢ）または物理ブロードキャストチャネル（ＰＢＣＨ）のうちの少なくとも１つにおいて与えられる、Ｃ２９に記載の方法。
［Ｃ３１］
ワイヤレス通信のための装置であって、
１つまたは複数のチャネルのうちのチャネルの周波数ロケーションと、アンテナポートの数と、前記装置との狭帯域通信のための展開モードとを示す情報を、少なくとも１つのアンテナを介して、ユーザ機器（ＵＥ）に送信することと、
前記チャネルの前記周波数ロケーションと、アンテナポートの前記数と、前記展開モードとに少なくとも部分的に基づいて、前記ＵＥと通信することと
を行うように構成された少なくとも１つのプロセッサと、
前記少なくとも１つのプロセッサに結合されたメモリと
を備える、装置。
［Ｃ３２］
ワイヤレス通信のための装置であって、
１つまたは複数のチャネルのうちのチャネルの周波数ロケーションと、アンテナポートの数と、前記装置との狭帯域通信のための展開モードとを示す情報を、ユーザ機器（ＵＥ）に送信するための手段と、
前記チャネルの前記周波数ロケーションと、アンテナポートの前記数と、前記展開モードとに少なくとも部分的に基づいて、前記ＵＥと通信するための手段と
を備える、装置。
［Ｃ３３］
基地局（ＢＳ）によるワイヤレス通信のためのコンピュータ可読媒体であって、前記コンピュータ可読媒体が、
１つまたは複数のチャネルのうちのチャネルの周波数ロケーションと、アンテナポートの数と、前記装置との狭帯域通信のための展開モードとを示す情報を、ユーザ機器（ＵＥ）に送信するためのコードと、
前記チャネルの前記周波数ロケーションと、アンテナポートの前記数と、前記展開モードとに少なくとも部分的に基づいて、前記ＵＥと通信するためのコードと
を備える、コンピュータ実行可能コードを記憶した、コンピュータ可読媒体。